(57)【要約】    【課題】  フレキシブルプリント基板を保持するレンズ保持枠の移動によりレンズ保持枠とフレキシブルプリント基板のＵターン部との距離が変化してもフレキシブルプリント基板のＵターン部から生ずる張力の影響を軽減し、レンズ保持枠を円滑に移動することができるレンズ鏡筒を得ること。    【解決手段】  レンズを保持するレンズ保持枠と電子部品を搭載する電子ユニットを一体的に光軸方向に移動する移動ユニットと、前記電子ユニットと前記電子ユニットの駆動を制御する制御基板とを電気的に接続するフレキシブルプリント基板とを有し、前記フレキシブルプリント基板が、前記移動ユニットが光軸方向に移動する際に相対移動をするＵターン部を含むレンズ鏡筒において、前記Ｕターン部が前記移動ユニットの重心から離れていくほど前記Ｕターン部の曲率が小さくなるように前記フレキシブルプリント基板をガイドするフレキシブルプリント基板保持部材を備えること。【選択図】    図３
2011191379.tif 000002
【特許請求の範囲】
【請求項１】
レンズを保持するレンズ保持枠と電子部品を搭載する電子ユニットを一体的に光軸方向に移動する移動ユニットと、前記電子ユニットと前記電子ユニットの駆動を制御する制御基板とを電気的に接続するフレキシブルプリント基板とを有し、前記フレキシブルプリント基板が、前記移動ユニットが光軸方向に移動する際に相対移動をするＵターン部を含むレンズ鏡筒において、
前記Ｕターン部が前記移動ユニットの重心から離れていくほど前記Ｕターン部の曲率が小さくなるように前記フレキシブルプリント基板をガイドするフレキシブルプリント基板保持部材を備えることを特徴とするレンズ鏡筒。
【請求項２】
前記フレキシブルプリント基板保持部材は、
光軸に対して傾いている傾斜部を有していることを特徴とする請求項１のレンズ鏡筒。
【請求項３】
前記フレキシブルプリント基板保持部材の傾斜部は、前記移動ユニットの重心と前記Ｕターン部との距離が離れるに従って、前記Ｕターン部の曲率が小さくなるよう光軸に対して傾斜していることを特徴とする請求項２のレンズ鏡筒。
【請求項４】
前記フレキシブルプリント基板保持部材は、前記レンズ保持枠又は前記電子ユニットに設けられていることを特徴とする請求項１乃至３のいずれか１項のレンズ鏡筒。
【請求項５】
請求項１乃至４のいずれか１項のレンズ鏡筒を有することを特徴とする光学機器。
【発明の詳細な説明】
【技術分野】
【０００１】
本発明は、レンズ鏡筒及びそれを有する光学機器に関し、例えばフレキシブルプリント配線基板を内蔵するデジタルカメラやビデオカメラ等に好適なものである。
【背景技術】
【０００２】
デジタルカメラやビデオカメラ等に用いられるレンズ鏡筒には、防振ユニットや絞りユニット等の電子部品を備えた電子ユニットがレンズ群を保持するレンズ保持枠に設けられて移動ユニットを構成していることが多い。この移動ユニットは、例えばズーム動作時又はフォーカシング時に光軸方向に進退している。
【０００３】
電子ユニットは該電子ユニットの駆動を制御するＣＰＵ等の電子部品が実装された電気回路基板（制御基板）に対して、フレキシブルプリント基板を介して接続されている。特に、光軸方向に移動するレンズ保持枠に設けられた電子ユニットと電気回路基板とをフレキシブルプリント基板を介して接続する場合、フレキシブルプリント配線板は１箇所又は複数箇所にＵターン部が形成される。このとき移動ユニットが光軸方向に移動したとき該Ｕターン部の光軸方向の位置が変化し、移動ユニットの自由な動きを許容しつつ、電気的接続を確保している。
【０００４】
一般にフレキシブルプリント基板のＵターン部から張力が発生するとレンズ保持枠を円滑に移動するのが難しくなる。フレキシブルプリント基板のＵターン部において発生する抵抗を軽減してレンズ保持枠を円滑に移動するようにしたフレキシブルプリント配線板を備えたレンズ鏡筒が知られている（特許文献１）。
【先行技術文献】
【特許文献】
【０００５】
【特許文献１】特開平０７−１８１５７６号公報
【発明の概要】
【発明が解決しようとする課題】
【０００６】
フレキシブルプリント基板を装着したレンズ保持枠が光軸方向に移動するときレンズ保持枠とフレキシブルプリント基板のＵターン部との距離が変化する。特許文献１のフレキシブルプリント基板構造では、ズーム動作時にレンズ保持枠（レンズ）とフレキシブルプリント配線板のＵターン部の距離が離れた際に、距離に比例して、Ｕターン部からレンズ枠を倒そうとする力が増大してくる。従って、このときＵターン部から生じる力によりレンズ保持枠が倒れてしまい光学性能が劣化してくる場合がある。このため、フレキシブルプリント基板のＵターン部から生ずる張力の影響を軽減することが重要になってくる。
【０００７】
本発明はフレキシブルプリント基板を保持するレンズ保持枠の移動によりレンズ保持枠とフレキシブルプリント基板のＵターン部との距離が変化してもレンズ保持枠を円滑に移動することができるレンズ鏡筒の提供を目的とする。
【課題を解決するための手段】
【０００８】
本発明のレンズ鏡筒は、レンズを保持するレンズ保持枠と電子部品を搭載する電子ユニットを一体的に光軸方向に移動する移動ユニットと、前記電子ユニットと前記電子ユニットの駆動を制御する制御基板とを電気的に接続するフレキシブルプリント基板とを有し、前記フレキシブルプリント基板が、前記移動ユニットが光軸方向に移動する際に相対移動をするＵターン部を含むレンズ鏡筒において、
前記Ｕターン部が前記移動ユニットの重心から離れていくほど前記Ｕターン部の曲率が小さくなるように前記フレキシブルプリント基板をガイドするフレキシブルプリント基板保持部材を備えることを特徴としている。
【発明の効果】
【０００９】
本発明によれば、フレキシブルプリント基板を保持するレンズ保持枠の移動によりレンズ保持枠とフレキシブルプリント基板のＵターン部との距離が変化してもレンズ保持枠を円滑に移動することができるレンズ鏡筒が得られる。
【図面の簡単な説明】
【００１０】
【図１】本発明の実施例１のレンズ鏡筒を一眼レフカメラ用の交換レンズ鏡筒に適用したときの断面図である。
【図２】図１に示した交換レンズ鏡筒の分解斜視図の一部である。
【図３】図１に示した交換レンズ鏡筒の要部断面図を示しており、（ａ）は広角時、（ｂ）は望遠時をそれぞれ示している。
【図４】本発明の光学機器の要部概略図
【発明を実施するための形態】
【００１１】
以下に、本発明の好ましい実施の形態を、添付の図面に基づいて詳細に説明する。本発明のレンズ鏡筒は、光軸方向に移動するレンズ群を保持するレンズ保持枠（第３レンズ鏡筒）１０３と電子部品を搭載する電子ユニット（電動絞りユニット）１Ｂを一体的に光軸方向に移動する移動ユニット１Ｄとを有する。更に電子ユニット１Ｂの駆動を制御する制御基板１２６とを電気的に接続するフレキシブルプリント基板３０１を有する。フレキシブルプリント基板３０１は、移動ユニット１Ｄが光軸方向に移動する際に相対移動をするＵターン部（折り返し部）３０２を有している。またＵターン部３０２が移動ユニット１Ｄの重心Ｐ０から離れていくほどＵターン部３０２の曲率（曲率半径の逆数）が小さくなるようにフレキシブルプリント基板３０１をガイドするフレキシブルプリント基板保持部材１２７を有する。フレキシブルプリント基板保持部材１２７はレンズ保持枠１０３又は電子ユニット１Ｂに設けられている。このフレキシブルプリント基板保持部材１２７は、光軸に対して傾いた傾斜部１２７Ａを有している。この傾斜部１２７Ａは移動ユニット１Ｄの重心Ｐ０とＵターン部３０２との距離が離れるに従って、Ｕターン部３０２の曲率が小さくなるような形状、例えば光軸に対して傾斜した平面部を有している。
【００１２】
図１は、本発明の実施例１のレンズ鏡筒を有した交換レンズ１００を、光軸ＡＸを通る面で切断したときの断面構造を示している。図２は、図１の交換レンズ１００の分解斜視図の一部を示している。交換レンズ１００は、物体側（紙面左側）から順に、第１レンズ群〜第６レンズ群Ｌ１〜Ｌ６を有する６群構成の撮影レンズを有している。第２レンズ群Ｌ２、および第５レンズ群Ｌ５はズーミングに際して不動の固定レンズ群である。第２レンズ群Ｌ２は像ぶれ補正のために光軸垂直方向に移動可能な補正レンズ群（シフトレンズ群）である。また、フォーカス動作によって第４レンズ群Ｌ４、および第６レンズ群Ｌ６が光軸方向に移動する。
【００１３】
さらに、ズーム動作時は第１レンズ群Ｌ１、第３レンズ群Ｌ３、第４レンズ群Ｌ４、および第６レンズ群Ｌ６が光軸方向に移動する。第１レンズ群〜第６レンズ群Ｌ１〜Ｌ６は第１レンズ鏡筒１０１、第２レンズ鏡筒１０２、第３レンズ鏡筒１０３、第４レンズ鏡筒１０４、第５レンズ鏡筒１０５、および第６レンズ鏡筒１０６によりそれぞれ保持されている。
【００１４】
交換レンズ１００は、カメラ本体（不図示）に着脱可能に装着するためのマウント１０７を有する。マウント１０７には、カメラ本体と交換レンズ１００間で通信のためのコネクタ１０８が設けられている。マウント１０７は、ベース筒１０９にネジによって取り付けられている。ベース筒１０９は、案内筒１１０にネジによって固定されている。案内筒１１０は、変倍（ズーミング）及び焦点調節（フォーカス）に際して不動の固定筒に相当する。
【００１５】
案内筒１１０は不動の第２レンズ鏡筒１０２、および第５レンズ鏡筒１０５をそれぞれ保持している。第２レンズ鏡筒１０２、および第５レンズ鏡筒１０５にはそれぞれコロがネジによって取付けられる。これらのコロを案内筒１１０に設けた穴に係合することにより、第２レンズ鏡筒１０２、および第５レンズ鏡筒１０５はそれぞれ案内筒１１０に対して光軸方向の定位置にて保持される。案内筒１１０の外側にはメインカム筒（回転筒）１１１が回動可能に配置されている。メインカム筒１１１は、凹溝１１１Ａで案内筒１１０とバヨネット結合している。メインカム筒１１１は、案内筒１１０に対して光軸方向には移動せず（すなわち光軸方向における定位置にて）、光軸回りで回転可能となっている。
【００１６】
メインカム筒１１１には、第１カム溝部１１１Ｂ、第２カム溝部１１１Ｃ、および第３カム溝部１１１Ｄが形成されている。第１カム溝部１１１Ｂ、第２カム溝部１１１Ｃ、および第３カム溝部１１１Ｄは第１レンズ鏡筒１０１、第３レンズ鏡筒１０３、および第４レンズ鏡筒１０４をそれぞれズーム動作時に光軸方向に移動させる為のものである。メインカム筒１１１の外側には第１レンズ鏡筒１０１を保持し、一体的に光軸に直進移動する直進筒１１２が設けられており、さらに直進筒１１２の外側にはズーム操作環１１３が設けられている。
【００１７】
第１レンズ鏡筒１０１を直進筒１１２に固定するには、カムフォロア１１４と軸１１５が用いられる。第１レンズ鏡筒１０１を直進筒１１２に挿入する場合には、第１レンズ鏡筒１０１の溝部１０１Ａと軸１１５を合わせて組み付ける。
【００１８】
次に、第１レンズ鏡筒１０１の穴部に、カムフォロア１１４をネジにより取付ける。カムフォロア１１４は、第１レンズ鏡筒１０１の穴、および直進筒１１２の位置調整用カム溝部（調整用溝部）１１２Ａに嵌合している。従って交換レンズ１００の組み立て時において、位置調整用カム溝部１１２Ａを用いて第１レンズ鏡筒１０１の光軸方向での位置を調整することができる。
【００１９】
第１レンズ鏡筒１０１を保持した直進筒１１２にはメインカム筒１１１に形成された第１カム溝部１１１Ｂ、および案内筒１１０に光軸方向に延びるように設けられた第１直進溝部１１０Ａに嵌合するカムフォロアがねじにより取り付けられている。さらに直進筒１１２にはズーム操作環１１３の内周に設けられたカム溝部１１３Ａとに嵌合するカムフォロアがねじにより取り付けられている。ズーム操作環１１３は凹溝１１３Ｂで案内筒１１０とバヨネット結合しており、ズーム操作環１１３は、案内筒１１０に対して光軸方向には移動せず（すなわち光軸方向における定位置にて）、光軸回りで回転可能となっている。
【００２０】
第３レンズ鏡筒１０３にはカムフォロアがネジにより取り付けられており、カムフォロアがメインカム筒１１１に形成された第２カム溝部１１１Ｃ、および案内筒１１０に光軸方向に延びるように設けられた第２直進溝部１１０Ｂに嵌合している。第４レンズ鏡筒１０４の外側には第４レンズ鏡筒ベース１１６が配置されている。第４レンズ鏡筒ベース１１６にはカムフォロアがネジにより取り付けられており、カムフォロアがメインカム筒１１１に形成された第３カム溝部１１１Ｄ、および案内筒１１０に光軸方向に延びるように設けられた第３直進溝部１１０Ｃに嵌合している。
【００２１】
メインカム筒（回転筒）１１１にはズームキー１１７がねじによって取り付けられている。このズームキー１１７は第６レンズ鏡筒１０６をズーム動作時に案内筒１１０に形成されたカム溝部１１０Ｄに従って光軸方向に回転繰出しするサブカム筒（カム筒）１１８と係合している。サブカム筒１１８は案内筒１１０の内側に配置されており、サブカム筒１１８の外周には案内筒１１０に形成されたカム溝部１１０Ｄに嵌合するカムフォロアがネジにより取り付けられている。このため、メインカム筒１１１が回転すると、サブカム筒１１８はメインカム筒１１１とともに光軸回りで回転し、かつメインカム筒１１１に対して光軸方向に移動する。
【００２２】
また、サブカム筒１１８には、第６レンズ鏡筒１０６に設けたカムフォロア１２２と係合するカム溝部１１８Ａが設けられている。サブカム筒１１８の内側には、直進ガイド筒１１９が配置されている。直進ガイド筒１１９は凹溝１１９Ａで案内筒１１０とバヨネット結合しており、直進ガイド筒１１９は、案内筒１１０に対して光軸方向には移動せず（すなわち光軸方向における定位置にて）、光軸回りで回転可能である。直進ガイド筒１１９には、それぞれ光軸方向に延びる第１直進溝部１１９Ｂ、および第２直進溝部１１９Ｃが設けられており、さらにフォーカスコロ１２０がネジにより取り付けられている。フォーカスコロ１２０には、後述するフォーカス駆動ユニット（フォーカス駆動機構）１Ａのフォーカスキー２０１が光軸回り方向において係合する。直進ガイド筒１１９の内側には、第４レンズ鏡筒１０４、第４レンズ鏡筒ベース１１６、および第６レンズ鏡筒１０６が配置されている。
【００２３】
第４レンズ鏡筒１０４の外周にはカムフォロア１２１がネジにより取り付けられている。該カムフォロア１２１は、第４レンズ鏡筒ベース１１６に設けられたフォーカスカム溝部１１６Ａと、直進ガイド筒１１９に設けられた第１直進溝部１１９Ｂに係合している。第６レンズ鏡筒１０６の外周にはカムフォロア１２２がネジにより取り付けられている。該カムフォロア１２２は、サブカム筒１１８に設けられたフォーカスカム溝部１１８Ａと、直進ガイド筒１１９に設けられた第２直進溝部１１９Ｃに係合している。案内筒１１０の外側には、フォーカス駆動ユニット１Ａが配置されている。フォーカス駆動ユニット１Ａ内のフォーカスベース筒２０２はベース筒１０９にネジにより取り付けられており、フォーカスベース筒２０２には外装環１２３がネジにより取り付けられている。
【００２４】
外装環１２３の外側にはフォーカス操作環１２４が配置されており、フォーカス操作環１２４の内周に設けられた溝部１２４Ａには外装環１２３の外周にネジにより取り付けられたカムフォロアが係合している。このため、フォーカス操作環１２４は外装環１２３の外側で光軸方向の定位置にて光軸回りで回転可能となっている。
【００２５】
フォーカス操作環１２４は、フォーカス駆動ユニット１Ａ内の定位置回転リング２０３と結合している。このため、フォーカス操作環１２４の回転力をフォーカス駆動ユニット１Ａに伝達することができる。フォーカス駆動ユニット１Ａには、差分動作機構２０４が内蔵されている。差分動作機構２０４から出力される回転力は、直進ガイド筒１１９に取付けられたフォーカスコロ１２０に係合するフォーカスキー２０１を介して直進ガイド筒１１９に伝達され、これを回転させる。
【００２６】
第３レンズ鏡筒（レンズ保持枠）１０３の像側には、電動絞りユニット（電子ユニット）１Ｂがネジにより取り付けられおり、ズーム動作時には第３レンズ鏡筒１０３と一体的に光軸方向に移動する。第３レンズ鏡筒１０３と電動絞りユニット１Ｂは移動ユニット１Ｄの一要素を構成している。
【００２７】
前述したように第２レンズ群Ｌ２は光軸垂直方向に移動可能な補正レンズ群である。防振ユニット１Ｃは、第２レンズ群Ｌ２を保持する第２レンズ鏡筒１０２と、該第２レンズ鏡筒１０２を光軸に直交し、かつ互いに直交する２方向に移動させるための２組の防振アクチュエータ（マグネット及びコイル）を有する。また、防振ユニット１Ｃは、第２レンズ鏡筒１０２の位置を検出する位置検出素子と、該位置検出素子からの信号を用いて防振アクチュエータを制御する駆動制御基板を含む。防振アクチュエータ、位置検出素子及び駆動制御基板により防振駆動部が構成される。案内筒１１０には、角速度センサ（ジャイロセンサ）１２５が取り付けられている。ベース筒１０９には、レンズシステム制御回路が構成されている制御基板１２６が取り付けられている。
【００２８】
次に、上記のように構成された交換レンズ１００における変倍（ズーミング）に際してズーム操作環１１３が操作されたときの動作について説明する。以下の説明において、光軸回りで回転することを単に「回転する」といい、光軸方向に移動することを「直進する」という。ズーム操作環１１３が回転操作されると、回転力が直進筒１１２を介してメインカム筒１１１に伝達され、メインカム筒１１１が回転される。メインカム筒１１１は、前述したように、案内筒（固定筒）１１０に対して光軸方向における定位置にて回転する。
【００２９】
メインカム筒１１１が回転すると、それにねじで取り付けられているズームキー１１７がメインカム筒１１１と一体に回転し、ズームキー１１７と係合するサブカム筒１１８も一体にメインカム筒１１１と同量回転する。サブカム筒１１８に取付けられたカムフォロアは案内筒１１０に形成したカム溝部１１０Ｄに係合しているため、サブカム筒１１８はメインカム筒１１１に対して光軸方向に直進する。すなわち、サブカム筒１１８は、回転しながらメインカム筒１１１に対して直進する。
【００３０】
案内筒１１０にバヨネット結合した直進ガイド筒１１９には、該バヨネット結合部分の摩擦によって回転力が作用する。しかし、直進ガイド筒１１９に取付けられたフォーカスコロ１２０に、フォーカス駆動ユニット１Ａのフォーカスキー２０１が係合している。フォーカスキー２０１は、フォーカス駆動ユニット１Ａの差分動作機構内の摩擦保持力（バヨネット結合部分の摩擦よりも大きな摩擦保持力）によって回転しないように保持されている。このため、直進ガイド筒１１９の回転は阻止される。サブカム筒１１８が回転しながら直進すると、サブカム筒１１８のカム溝部１１８Ａと直進ガイド筒１１９の第２直進溝部１１９Ｃに係合するカムフォロア１２２を有する第６レンズ鏡筒１０６が回転せずに直進ガイド筒１１９に対して直進する。
【００３１】
メインカム筒１１１に設けた第１、第２、第３カム溝部１１１Ｂ〜Ｄと案内筒１１０に設けた第１、第２、第３直進溝部１１０Ａ〜Ｃにそれぞれカムフォロアが係合している。このため、メインカム筒１１１が回転するとカムフォロアを有する第１レンズ鏡筒１０１を保持した直進筒１１２、第３レンズ鏡筒１０３、および第４レンズ鏡筒１０４は回転せずにメインカム筒１１１に対して直進する。このように、ズーム操作環１１３が回転操作されることで第１レンズ鏡筒１０１、第３レンズ鏡筒１０３、第４レンズ鏡筒１０４、および第６レンズ鏡筒１０６が直進し、交換レンズ（ズーム光学系）１００の変倍（焦点距離の変更）が行われる。
【００３２】
次に、焦点調節に際してフォーカス操作環１２４が操作されたときの動作について説明する。フォーカス操作環１２４が回転操作されると、その回転力はフォーカス駆動ユニット１Ａの差分動作機構２０４及びフォーカスキー２０１を介して直進ガイド筒１１９を回転させる。このとき、メインカム筒１１１及びサブカム筒１１８は回転しない。直進ガイド筒１１９が回転すると、サブカム筒１１８のカム溝部１１８Ａと直進ガイド筒１１９の第２直進溝部１１９Ｃに係合したカムフォロア１２２を有する第６レンズ鏡筒１０６が回転しながら直進する。また、同時に第４レンズ鏡筒ベース１１６のフォーカスカム溝部１１６Ａと直進ガイド筒１１９の直進溝部１１９Ｂに係合したカムフォロア１２１を有する第４レンズ鏡筒１０４が回転しながら直進する。このように、フォーカス操作環１２４が回転操作されることで第４レンズ鏡筒１０４、および第６レンズ鏡筒１０６が回転しながら直進し、交換レンズ（ズーム光学系）の焦点調節が可能となる。
【００３３】
次に、カメラ本体（不図示）からのオートフォーカス信号に応じてフォーカス駆動ユニット１Ａが動作するときのオートフォーカス動作について説明する。フォーカス駆動ユニット１Ａは、振動型モータ（駆動手段）を備えている。制御基板１２６は、カメラ本体側からのオートフォーカス信号を受けると、振動型モータを駆動する。振動型モータの回転力は、差分動作機構２０４を介してフォーカスキー２０１を回転させ、フォーカスキー２０１を介して直進ガイド筒１１９を回転させる。このとき、メインカム筒１１１及びサブカム筒１１８は回転しない。
【００３４】
直進ガイド筒１１９が回転すると、サブカム筒１１８のカム溝部１１８Ａと直進ガイド筒１１９の第２直進溝部１１９Ｃに係合したカムフォロア１２２を有する第６レンズ鏡筒１０６が回転しながら直進する。また、同時に第４レンズ鏡筒ベース１１６のカム溝部１１６Ａと直進ガイド筒１１９の直進溝部１１９Ｂに係合したカムフォロア１２１を有する第４レンズ鏡筒１０４が回転しながら直進する。このように、振動型モータからの駆動力でフォーカス駆動ユニット１Ａが動作することで第４レンズ鏡筒１０４、および第６レンズ鏡筒１０６が回転しながら直進し、交換レンズ（ズーム光学系）のオートフォーカスが可能となる。
【００３５】
図３は、図１に示した交換レンズ１００の断面図の一部を拡大しており、図３（ａ）は広角端のズーム位置、図３（ｂ）は望遠端のズーム位置を示している。前述したように電動絞りユニット１Ｂは第３レンズ鏡筒１０３に取付けられており、変倍（ズーミング）に際して第３レンズ鏡筒１０３と一体に光軸方向に直進する。電動絞りユニット１Ｂはフレキシブルプリント基板３０１を有しており、フレキシブルプリント基板３０１は制御基板１２６に接続される。
【００３６】
第３レンズ鏡筒１０３にはフレキシブルプリント基板３０１を保持（ガイド）するフレキシブルプリント基板保持部材１２７がネジにより取付けられている。１２７Ａはフレキシブルプリント基板保持部材１２７より延出する傾斜部である。案内筒１１０と傾斜部１２７Ａは第１レンズ群Ｌ１側へいくほど狭くなっている。フレキシブルプリント基板３０１はフレキシブルプリント基板保持部材１２７の傾斜部１２７Ａと案内筒１１０に挟まれており、変倍に際してこの間でフレキシブルプリント基板３０１のＵターン部３０２は光軸方向に進退する。第３群レンズＬ３、第３レンズ鏡筒１０３、および電動絞りユニット１Ｂ等から成る一体的に移動する移動ユニット１Ｄは、フレキシブルプリント基板３０１のＵターン部３０２で発生する反力を受ける。この反力が大きいと移動ユニット１Ｄが光軸に対して倒れる可能性がある。即ち、第３群レンズＬ３が光軸に対して倒れる可能性がある。
【００３７】
フレキシブルプリント基板３０１のＵターン部３０２で発生する反力はＵターン部３０２の曲率で決まっており、Ｕターン部３０２の曲率が大きいほど反力は大きくなる。図３（ａ）の方が図３（ｂ）に比べて反力が大きくなる。また、移動ユニット１Ｄに加わる力（モーメント）は移動ユニット１Ｄの重心Ｐ０とＵターン部３０２との光軸方向の距離で決まっており、光軸方向の距離が長いほど移動ユニット１Ｄに加わる力は大きくなる。図３（ｂ）の方が図３（ａ）に比べてモーメントは大きくなる。図３（ａ）、（ｂ）で示すように重心Ｐ０とＵターン部３０２との光軸方向の距離は図３（ａ）に比べて図３（ｂ）の方が長くなり、移動ユニット１Ｄに加わるモーメントは大きくなる。しかしながらフレキシブルプリント基板３０１のＵターン部３０２の曲率は、フレキシブルプリント基板保持部材１２７の傾斜部１２７Ａに沿って重心Ｐ０との距離が離れに従い曲率が小さくなり、反力は小さくなる。
【００３８】
従って、図３（ｂ）の望遠端のズーム位置においても移動ユニット１Ｄに加わる力を小さくすることが出来、つまり第３群レンズＬ３の倒れが抑制することが出きる。これにより光学性能の良好なレンズ鏡筒を得ている。
【００３９】
尚、以上の実施例においてフレキシブルプリント基板保持部材１２７は移動ユニット１Ｄの移動に伴って移動し、Ｕターン部の曲率が変化する位置であればレンズ鏡筒内のどこに配置していても良い。
【００４０】
以上のように移動ユニット１Ｄの重心Ｐ０とフレキシブルプリント基板３０１のＵターン部３０２との距離は望遠時は広角時に対して長くなる。このとき、Ｕターン部３０２の曲率はフレキシブルプリント基板保持部材１２７の形状に沿って重心Ｐ０との距離が離れに従がい曲率が小さくなる。従って、望遠時においても移動ユニット１Ｄに加わる力を小さくすることが出来、つまり第３群レンズＬ３の倒れが抑制することが出きる。これにより光学性能の良好なレンズを提供することが出来る。
【００４１】
次に前述した実施例に示したレンズ鏡筒を光学機器として一眼レフカメラに適用した実施例を説明する。図４は一眼レフカメラ（光学機器）の要部概略図である。図４において、ＬＫは前述した実施例のレンズ鏡筒であり、撮像光学系Ｌoを有している。ＣＢはカメラ本体であり、撮像光学系Ｌoからの光束を上方に反射する。そしてクイックリターンミラーＣＭ、撮像光学系Ｌoの像形成位置に配置された焦点板ＣＰ、焦点板ＣＰに形成された逆像を正立像に変換するペンタダハプリズムＣＰ、その正立像を観察するための接眼レンズＣＳ等によって構成されている。ＣＩは感光面であり、ＣＣＤセンサやＣＭＯＳセンサ等の固体撮像素子（光電変換素子）や銀塩フィルムが配置される。撮影時にはクイックリターンミラーＣＭが光路から退避して感光面ＣＩ上に撮像光学系Ｌoによって像が形成される。
【００４２】
以上、本発明の実施例を説明したが、本発明は実施例にのみ限定されるものではなく、本発明の範囲内で変更等が可能である。上記実施例で説明した各構成部品の寸法、材質、形状、その相対配置等は、特に特定的な記載がない限りはこの発明の範囲をそれのみに限定する趣旨ではなく、単なる説明例に過ぎない。例えば、上記実施例では、交換レンズについて説明したが、本発明は、ズーム光学系を一体に有するデジタルスチルカメラやビデオカメラ等の光学機器にも適用することができる。
【符号の説明】
【００４３】
１０３  第３レンズ鏡筒      １２６  制御基板
１２７  フレキシブルプリント基板保持部材      １Ａ  フォーカス駆動ユニット
１Ｂ  電動絞りユニット      ３０１  フレキシブルプリント基板
３０２  Ｕターン部        １Ｄ  移動ユニット
【図１】
2011191379.tif 000003
【図２】
2011191379.tif 000004
【図３】
2011191379.tif 000005
【図４】
2011191379.tif 000006